【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
複数のコンテンツデータと前記複数のコンテンツデータのそれぞれに対応付けられた属性データとが記憶される記憶部と、
前記複数のコンテンツデータの全部または一部を再生対象のコンテンツデータとして設定する再生対象設定部と、
前記再生対象として設定されたコンテンツデータから選択された１または２以上のコンテンツデータを、前記属性データごとに前記再生対象から除外する再生対象除外部と、
前記再生対象設定部で設定されたコンテンツデータから前記再生対象除外部で除外されたコンテンツデータを除外したコンテンツデータを再生する再生部と、
を備えることを特徴とする、再生装置。
【請求項２】
前記記憶部に記憶された複数のコンテンツデータの再生方法を示す再生モードを設定する再生モード設定部をさらに備え、
前記再生対象除外部は、前記再生モード設定部により前記再生モードが複数のコンテンツデータを順不同に再生するランダム再生モードに設定された場合にのみ、前記選択された１または２以上のコンテンツデータを前記再生対象から除外することを特徴とする、請求項１に記載の再生装置。
【請求項３】
ユーザによる操作に応じて入力信号を生成して当該入力信号を出力する操作部をさらに備え、
前記再生対象除外部は、前記再生対象から除外した１または２以上のコンテンツデータについての再生を指示する旨の再生指示信号が前記操作部により生成され、当該再生指示信号を前記操作部から受け取った場合に、前記再生が指示されたコンテンツデータの再生を前記再生部に行わせずに、前記再生対象のコンテンツデータから任意に選択された１のコンテンツデータの再生を前記再生部に行わせることを特徴とする、請求項１に記載の再生装置。
【請求項４】
ユーザによる操作に応じて入力信号を生成して当該入力信号を出力する操作部をさらに備え、
前記再生対象除外部は、前記再生対象から除外した１または２以上のコンテンツデータについての再生を指示する旨の再生指示信号が前記操作部により生成され、当該再生指示信号を前記操作部から受け取った場合に、前記再生が指示されたコンテンツデータが前記再生対象から除外されている旨の表示を表示部に行わせることを特徴とする、請求項１に記載の再生装置。
【請求項５】
ユーザによる操作に応じて入力信号を生成して当該入力信号を出力する操作部をさらに備え、
前記再生対象除外部は、前記再生対象から除外した１または２以上のコンテンツデータについての再生を指示する旨の再生指示信号が前記操作部により生成され、当該再生指示信号を前記操作部から受け取った場合に、前記再生が指示されたコンテンツデータを前記再生部に再生させることを特徴とする、請求項１に記載の再生装置。
【請求項６】
ユーザによる操作に応じて入力信号を生成して当該入力信号を出力する操作部をさらに備え、
前記再生対象除外部は、前記再生対象から除外した１または２以上のコンテンツデータの前記操作部による選択が不能となる表示を表示部に行わせることを特徴とする、請求項１に記載の再生装置。
【請求項７】
前記再生対象除外部は、前記再生対象から除外した１または２以上のコンテンツデータを表示部に表示させないことを特徴とする、請求項１に記載の再生装置。
【請求項８】
前記再生モード設定部により前記再生モードが前記ランダム再生モードに設定され、かつ、前記再生対象設定部により特定のフォルダ内のコンテンツデータが前記再生対象として設定された場合であって、前記特定のフォルダが前記再生対象から除外したコンテンツデータのみを含む場合には、
前記再生対象除外部は、前記特定のフォルダが前記再生対象から除外したコンテンツデータのみを含む旨を表示部に表示させることを特徴とする、請求項１に記載の再生装置。
【請求項９】
前記再生対象除外部は、前記再生モード設定部により特定の再生モードが設定され、前記再生対象設定部により特定のコンテンツデータが再生対象として設定された場合にのみ、前記再生対象から除外するコンテンツデータとして選択された１または２以上のコンテンツデータを前記再生対象から除外することを特徴とする、請求項１に記載の再生装置。
【請求項１０】
複数のコンテンツデータと前記複数のコンテンツデータのそれぞれに対応付けられた属性データを記憶する記憶ステップと、
前記複数のコンテンツデータの全部または一部を再生対象のコンテンツデータとして設定する再生対象設定ステップと、
前記再生対象として設定されたコンテンツデータのうちの１または２以上のコンテンツデータを、前記属性データごとに前記再生対象から除外する再生対象除外ステップと、
前記再生対象設定ステップで設定されたコンテンツデータから前記再生対象除外ステップで除外されたコンテンツデータを除外したコンテンツデータを再生する再生ステップと、
を含むことを特徴とする、再生方法。
【手続補正２】
【補正対象書類名】明細書
【補正対象項目名】発明の名称
【補正方法】変更
【補正の内容】
【発明の名称】再生装置及び再生方法
【手続補正３】
【補正対象書類名】明細書
【補正対象項目名】０００８
【補正方法】変更
【補正の内容】
【０００８】
そこで、本発明は、このような問題に鑑みてなされたもので、予め再生対象から除外するコンテンツを指定しておくことで、特定のコンテンツを除外して再生を行うことが可能な再生装置及び再生方法において、専用のソフトウェアがインストールされたＰＣではない再生装置側で、所定の属性データを有する複数のコンテンツを含むまとまった単位ごとに、再生の対象から除外する処理を可能とすることを目的とする。
【手続補正４】
【補正対象書類名】明細書
【補正対象項目名】００１２
【補正方法】削除
【補正の内容】
【手続補正５】
【補正対象書類名】明細書
【補正対象項目名】００１５
【補正方法】変更
【補正の内容】
【００１５】
前記再生モード設定部により前記再生モードが前記ランダム再生モードに設定され、かつ、前記再生対象設定部により特定のフォルダ内のコンテンツデータが前記再生対象として設定された場合であって、前記特定のフォルダが前記再生対象から除外したコンテンツデータのみを含む場合には、（５）前記再生対象除外部は、前記特定のフォルダが前記再生対象から除外したコンテンツデータのみを含む旨を表示部に表示させてもよい。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】変更
【補正の内容】
【００２２】
以上のように、本発明にかかる再生装置及び再生方法においては、再生対象除外部が、特定の属性データごとに再生対象から除外するコンテンツを設定することにより、ジャンルやアルバム等のまとまった単位ごとに、再生対象から除外するコンテンツを設定することができる。したがって、ユーザは、少ない入力操作で簡単に、再生対象から除外したいコンテンツを選択して機器に登録することができるので、ユーザ操作の煩雑さが解消される。また、本発明によれば、このような簡単な操作により、ユーザがコンテンツを視聴している際に、視聴中のコンテンツと全く異なる属性データを有するコンテンツが再生されるというような状況を回避することができる。例えば、ユーザは、ランダム再生で音楽コンテンツを視聴している場合に、語学学習のコンテンツやニュースなど、音楽というジャンルと全く異なるジャンルのコンテンツが再生されることがなく、ランダム再生による楽しみを満喫することができる。さらに、上記のような除外コンテンツの設定を、専用のアプリケーション（例えば、ジュークボックスソフトウェア）がインストールされた情報処理装置（ＰＣ）を利用して行う必要がなく、場所や時間を選ばずに、ユーザの都合に合わせて除外コンテンツの設定を行うことも可能となる。
【手続補正１１】
【補正対象書類名】明細書
【補正対象項目名】００２３
【補正方法】変更
【補正の内容】
【００２３】
本発明によれば、予め再生対象から除外するコンテンツを指定しておくことで、特定のコンテンツを除外して再生を行うことが可能な再生装置及び再生方法において、専用のソフトウェアがインストールされたＰＣではない再生装置側で、所定の属性データを有する複数のコンテンツを含むまとまった単位ごとに、再生の対象から除外する処理を行うことが可能である。